(57)【特許請求の範囲】
【請求項１】
地下に埋設される埋設弁を埋設管路に接続する埋設弁設置構造において、
施工路面下に構築した路盤上に、溝部が高さ方向全長に亘って対向して形成されたピット載置部を有する基台を載置し、前記ピット載置部内に前記溝部を通して継手管を配し、前記継手管と前記埋設管路とを接続し、前記ピット載置部内にコンクリートを打設して、前記基台と前記継手管とを一体化し、ピットにかかる荷重を前記基台を介して路盤に伝達することを特徴とする埋設弁設置構造。
【請求項２】
前記埋設弁は、消火栓からなり、前記消火栓は、前記継手管に分岐して接続された立ち上げ管に接続されていることを特徴とする、請求項１に記載の埋設弁設置構造。
【請求項３】
前記埋設弁は、空気弁からなり、前記空気弁は、前記継手管に分岐して接続された立ち上げ管に接続されていることを特徴とする、請求項１に記載の埋設弁設置構造。
【請求項４】
地下に埋設される埋設弁を埋設管路に接続する埋設弁設置構造において、
施工路面下に構築した路盤上に、溝部が高さ方向全長に亘って対向して形成されたピット載置部を有する基台を載置し、前記ピット載置部内に前記溝部を通して前記埋設弁としての仕切弁を配し、前記仕切弁と前記埋設管路とを接続し、前記ピット載置部内にコンクリートを打設して、前記基台と前記仕切弁とを一体化し、ピットにかかる荷重を前記基台を介して路盤に伝達することを特徴とする埋設弁設置構造。
【請求項５】
前記基台は、金属製であることを特徴する、請求項１から４の何れか１つに記載の埋設弁設置構造。
【発明の詳細な説明】
【技術分野】
【０００１】
この発明は、埋設弁設置構造、特に、地下に埋設される消火栓等の埋設弁を、水道管路等の埋設管路に接続する埋設弁設置構造に関するものである。
【背景技術】
【０００２】
地下に埋設される埋設弁としての消火栓の従来設置構造を、図面を参照しながら説明する。
【０００３】
図１０は、消火栓の従来設置構造を示す平面図、図１１は、消火栓の従来設置構造を示す断面図、図１２は、図１１のＡ矢視図、図１３は、消火栓の標準的な施工工程図である。
【０００４】
図１０から図１２において、２１は、消火栓であり、頂部から突出した弁開閉操作軸２２を回転させることにより、放水口２３に接続したホース（図示せず）から水が放水されるように構成されている。
【０００５】
２４は、管継手であり、その両端部には、埋設管路としての水道管路２５が接続されている。消火栓２１は、管継手２４に分岐して接続された立ち上げ管２６に接続されている。管継手２４の周囲は、路盤２７上に打設されたコンクリート２８により固められ、地震時等における消火栓２１の位置ずれや損傷を防止している。
【０００６】
２９は、消火栓２１の周囲に底板３１を介して構築されたピット、３０は、ピット２９上に設置された受枠、３２は、受枠３０に嵌め込まれた鉄蓋である。
【０００７】
消火栓２１は、以下の工程（１）から（１３）を経て設置されていた（図１３参照）。
【０００８】
（１）開削溝内に配管された水道管路２５に接続した管継手２４に、立ち上げ管２６を介して消火栓２１を接続する（消火栓接続工程）。
【０００９】
（２）消火栓２１の周囲に仮ピットを施工する（仮ピット施工工程）。
【００１０】
（３）仮ピットに鉄蓋を仮設置する（鉄蓋仮設置工程）。
【００１１】
（４）開削溝を埋め戻す（埋戻工程）。
【００１２】
（５）消火栓２１上の路面を車等が走行可能になるように復旧作業を行う（復旧工程）。
【００１３】
（６）後日、再度、消火栓２１の周囲を掘削する（再掘削工程）。
【００１４】
（７）消火栓２１の周囲に土留めを設置する（土留設置工程）。
【００１５】
（８）型枠を設置する（型枠設置工程）。
【００１６】
（９）型枠内にコンクリート２８を打設する（コンクリート打設工程）。
【００１７】
（１０）コンクリート２８上に底板３１を設置する（底板設置工程）。
【００１８】
（１１）底板３１上にピット２９を構築する（ピット構築工程）。
【００１９】
（１２）鉄蓋３２が嵌め込まれる受枠３０をピット２９上に設置する（受枠設置工程）。
【００２０】
（１３）受枠３０の周囲を埋戻し、舗装する（舗装工程）。
【発明の概要】
【発明が解決しようとする課題】
【００２１】
消火栓１は、上述した工程（１）から（１３）を経て構築されていたが、以下のような問題があった。
【００２２】
工程（１）のように、水道管路２５に立ち上げ管２６を介して消火栓２１を接続した後、工程（２）のように、消火栓２１の周囲に仮ピットを施工し、この後、工程（３）のように、仮ピットに鉄蓋を仮設置し、この後、工程（４）のように、開削溝を埋め戻し、この後、工程（５）のように、復旧作業を行った後、工程（６）のように、後日、再度、掘削を行う必要があったので、消火栓２１の構築に多大の時間と労力を要していた。
【００２３】
工程（２）から（６）を省略することができれば、消火栓２１の構築時間を大幅に短縮することはできるが、これには、道路を長時間に亘って通行止めせざるを得ないので、省略することはできない。
【００２４】
また、工程（６）の再掘削工程後に行う工程、工程（７）の土留設置工程、工程（８）の型枠設置工程、工程（９）のコンクリート打設工程にも、多大の時間と労力を要していた。
【００２５】
従って、この発明の目的は、地下に埋設される消火栓等の埋設弁を、水道管路等の埋設管路に接続する際に、型枠内へのコンクリートの打設工程等が不要となる結果、埋設弁の設置が容易かつ短時間に行うことができる埋設弁設置構造を提供することにある。
【課題を解決するための手段】
【００２６】
この発明は、上記目的を達成するためになされたものであり、下記を特徴とするものである。
【００２７】
請求項１に記載の発明は、地下に埋設される埋設弁を埋設管路に接続する埋設弁設置構造において、施工路面下に構築した路盤上に、溝部が高さ方向全長に亘って対向して形成されたピット載置部を有する基台を載置し、前記ピット載置部内に前記溝部を通して継手管を配し、前記継手管と前記埋設管路とを接続し、前記ピット載置部内にコンクリートを打設して、前記基台と前記継手管とを一体化し、ピットにかかる荷重を前記基台を介して路盤に伝達することに特徴を有するものである。
【００２８】
請求項２に記載の発明は、請求項１に記載の発明において、前記埋設弁は、消火栓からなり、前記消火栓は、前記継手管に分岐して接続された立ち上げ管に接続されていることに特徴を有するものである。
【００２９】
請求項３に記載の発明は、請求項１に記載の発明において、前記埋設弁は、空気弁からなり、前記空気弁は、前記継手管に分岐して接続された立ち上げ管に接続されていることに特徴を有するものである。
【００３０】
請求項４に記載の発明は、地下に埋設される埋設弁を埋設管路に接続する埋設弁設置構造において、施工路面下に構築した路盤上に、溝部が高さ方向全長に亘って対向して形成されたピット載置部を有する基台を載置し、前記ピット載置部内に前記溝部を通して前記埋設弁としての仕切弁を配し、前記仕切弁と前記埋設管路とを接続し、前記ピット載置部内にコンクリートを打設して、前記基台と前記仕切弁とを一体化し、ピットにかかる荷重を前記基台を介して路盤に伝達することに特徴を有するものである。
【００３１】
請求項５に記載の発明は、請求項１から４の何れか１つに記載の発明において、前記基台は、金属製であることに特徴を有するものである。
【発明の効果】
【００３２】
この発明によれば、仮ピット施工工程、鉄蓋仮設置工程、埋戻工程、復旧工程、再掘削工程、土留設置工程、型枠設置工程、コンクリート打設工程、底板設置工程が不要となる結果、消火栓等の埋設弁の設置が容易かつ短時間に行うことができる。
【図面の簡単な説明】
【００３３】
【図１】この発明に使用する埋設弁用基台を示す平面図である。
【図２】この発明に使用する埋設弁用基台を示す正面図である。
【図３】この発明に使用する埋設弁用基台を示す側面図である。
【図４】この発明の埋設弁設置構造により消火栓を水道管路に接続した状態を示す平面図である。
【図５】この発明の埋設弁設置構造により消火栓を水道管路に接続した状態を示す正面図である。
【図６】施工が完了した消火栓を示す部分断面図である。
【図７】この発明の埋設弁設置構造により仕切弁を水道管路に接続した状態を示す平面図である。
【図８】この発明の埋設弁設置構造により仕切弁を水道管路に接続した状態を示す正面図である。
【図９】施工が完了した仕切弁を示す部分断面図である。
【図１０】消火栓の従来設置構造を示す平面図である。
【図１１】消火栓の従来設置構造を示す部分断面図である。
【図１２】図１１のＡ矢視図である。
【図１３】消火栓の標準的な施工工程図である。
【発明を実施するための形態】
【００３４】
次に、この発明の埋設弁用基台の一実施態様を、図面を参照しながら説明する。
【００３５】
図１は、この発明に使用する埋設弁用基台を示す平面図、図２は、この発明に使用する埋設弁用基台を示す正面図、図３は、この発明に使用する埋設弁用基台を示す側面図である。
【００３６】
図１から図３に示すように、この発明に使用する埋設弁用基台１は、路盤２７（図１１参照）上に載置され、基台１上には、ピット２９（図１１参照）が設置される円筒状のピット載置部２が形成されている。
【００３７】
基台１は、例えば、鋳鉄等の金属からなっている。ピット載置部２は、リブ３により補強され、ピット載置部２には、溝部４が高さ方向全長に亘って対向して形成されている。
【００３８】
以下、埋設弁として消火栓を例に挙げ、この発明に使用する埋設弁用基台により消火栓を施工する場合について、図面を参照しながら説明する。
【００３９】
図４は、この発明の埋設弁設置構造により消火栓を水道管路に接続した状態を示す平面図、図５は、この発明の埋設弁設置構造により消火栓を水道管路に接続した状態を示す正面図、図６は、施工が完了した消火栓を示す部分断面図である。
【００４０】
図４から図６において、５は、弁開閉操作軸６および放水口７等が設けられた消火栓である。８は、ピット載置部２の溝部４を通して配された継手管である。継手管８には、水道管路９が接続される。１０は、ピット載置部２内の継手管８に分岐して接続された立ち上げ管である。基台１と継手管８とは、ピット載置部２内に打設されたコンクリート１１によって一体化されている。基台１と継手管８とがコンクリート１１によって一体化されることにより、地震時等における消火栓５の位置ずれや損傷を防止することができる。
【００４１】
消火栓５の施工法の一例について、以下に説明する。
【００４２】
先ず、基台１を施工現場の路面下に構築した路盤２７（図１１参照）上にクレーン等により吊り下ろす。
【００４３】
次いで、継手管８を基台１のピット載置部２に設置する。
【００４４】
次いで、継手管８の両端部に水道管路９を接続する。
【００４５】
次いで、継手管８の立ち上げ管１０に消火栓５を接続する。
【００４６】
次いで、ピット載置部２内にコンクリート１１を打設して、基台１と継手管８とを一体化する。
【００４７】
次いで、図６に示すように、ピット載置部２上にピット２９を構築する。ピット２９の構築は、ピット載置部２上に単に載置するのみで良いので容易に行える。
【００４８】
次いで、同図に示すように、ピット２９上に、鉄蓋３２が嵌め込まれる受枠３０を設置する。
【００４９】
そして、受枠３０の周囲を埋戻し、舗装すれば、消火栓５の設置が完了する。
【００５０】
以上は、この発明の埋設弁設置構造により消火栓を水道管路に接続する場合であるが、埋設弁としての空気弁を水道管路に接続する場合も、消火栓と基本的に同様である。
【００５１】
次に、この発明の埋設弁設置構造により埋設弁としての仕切弁を水道管路に接続する場合について、図面を参照しながら説明する。
【００５２】
図７は、この発明の埋設弁設置構造により仕切弁を水道管路に接続した状態を示す平面図、図８は、この発明の埋設弁設置構造により仕切弁を水道管路に接続した状態を示す正面図、図９は、施工が完了した仕切弁を示す部分断面図である。
【００５３】
図７から図９において、１２は、水道管路９を開閉する仕切弁である。仕切弁１２は、ピット載置部２内に配され、ピット載置部２から突出した仕切弁１２の両端部は、水道管路９に接続されている。仕切弁１２の弁開閉操作軸１３は、ピット載置部２上に設けられている。
【００５４】
基台１と仕切弁１２とは、ピット載置部２内に打設されたコンクリート１４によって一体化されている。これにより、地震時等における仕切弁１２の位置ずれや損傷を防止することができる。
【００５５】
仕切弁１２の施工法の一例について、以下に説明する。
【００５６】
先ず、基台１を施工現場の路面下に構築した路盤２７（図１１参照）上にクレーン等により吊り下ろす。
【００５７】
次いで、仕切弁１２を基台１のピット載置部２に設置する。
【００５８】
次いで、仕切弁１２の両端部に水道管路９を接続する。
【００５９】
次いで、ピット載置部２内にコンクリート１４を打設して、基台１と仕切弁１２とを一体化する。
【００６０】
次いで、図９に示すように、ピット載置部２上にピット２９を構築する。ピット２９の構築は、ピット載置部２上に単に載置するのみで良いので容易に行える。
【００６１】
次いで、同図に示すように、ピット２９上に、鉄蓋３２が嵌め込まれる受枠３０を設置する。
【００６２】
そして、受枠３０の周囲を埋戻し、舗装すれば、仕切弁１２の設置が完了する。
【００６３】
以上、説明したように、この発明によれば、消火栓５や仕切弁１２等の埋設弁の設置現場で基台１を路盤２７上に吊り下ろせば良いので、上述した従来設置構造で行っていた、仮ピット施工工程、鉄蓋仮設置工程、埋戻工程、復旧工程、再掘削工程、土留設置工程、型枠設置工程、コンクリート打設工程、底板設置工程が不要となる。この結果、消火栓５等の埋設弁の設置が容易かつ短時間に行える。
【符号の説明】
【００６４】
１：基台
２：ピット載置部
３：リブ
４：溝部
５：消火栓
６：弁開閉操作軸
７：放水口
８：継手管
９：水道管路
１０：立ち上げ管
１１：コンクリート
１２：仕切弁
１３：弁開閉操作軸
１４：コンクリート
２１：消火栓
２２：弁開閉操作軸
２３：放水口
２４：管継手
２５：水道管路
２６：立ち上げ管
２７：路盤
２８：コンクリート
２９：ピット
３０：受枠
３１：底板
３２：鉄蓋
【図１】
0006588200.tif 000002
【図２】
0006588200.tif 000003
【図３】
0006588200.tif 000004
【図４】
0006588200.tif 000005
【図５】
0006588200.tif 000006
【図６】
0006588200.tif 000007
【図７】
0006588200.tif 000008
【図８】
0006588200.tif 000009
【図９】
0006588200.tif 000010
【図１０】
0006588200.tif 000011
【図１１】
0006588200.tif 000012
【図１２】
0006588200.tif 000013
【図１３】
0006588200.tif 000014